(57)【要約】【課題】送風路を通過する温調空気と、床を構成する輻射パネルの間で効率よく熱交換ができる輻射式空調装置を提供すること。【解決手段】居住空間Ａの床板を支える床基盤Ｂ上に設けられて、該床基盤Ｂとの間に送風路Ｄを構成する輻射パネル１と、勾配のある風向規制面３１が上部に設けられている風向規制部３とを有していること。該風向規制部３は、温度調整されてから前記送風路に導入された空気、すなわち、温調空気２１１を前記輻射パネル１に向けて吹きつけるように、前記床基盤上Ｂに配置されていること。【選択図】図１
2018096585.tif 000002
【特許請求の範囲】
【請求項１】
居住空間の床板を支える床基盤上に設けられて、該床基盤との間に送風路を構成する輻射パネルと、勾配のある風向規制面が上部に設けられている風向規制部と、を有し、該風向規制部は、温度調整されてから前記送風路に導入された空気、すなわち、温調空気を前記輻射パネルに向けて吹きつけるように、前記床基盤上に配置されていることを特徴とする輻射式空調装置。
【請求項２】
請求項１に記載の輻射式空調装置において、空間上のねじれの位置関係にあるに２直線間に張られた曲面を含む前記風向規制面が設けられた前記風向規制部を有することを特徴とする輻射式空調装置。
【請求項３】
請求項１または請求項２に記載の輻射式空調装置において、前記輻射パネルは前記居住空間の床板若しくは該床板の一部を構成し、前記送風路に導入された温調空気を、前記居住空間へ放出するための放出口が、前記床板に設けられていることを特徴とする輻射式空調装置。
【請求項４】
請求項３に記載の輻射式空調装置において、前記放出口が、前記居住空間の周辺部に当たる前記床板に設けられていることを特徴とする輻射式空調装置。
【請求項５】
請求項３または請求項４に記載の輻射式空調装置において、前記放出口としての複数の孔が前記輻射パネルに設けられていることを特徴とする輻射式空調装置。
【請求項６】
請求項１，２，３，４または５のいずれか１項に記載の輻射式空調装置において、四辺に切欠きのある金属製の矩形パネルセルを並べて、該矩形パネルセル４つが接する場所において、前記床基盤上に配置された支柱で該矩形パネルセル４つが支えられている前記輻射パネルを有することを特徴とする輻射式空調装置。
【請求項７】
請求項１，２，３，４，５または６のいずれか１項に記載の輻射式空調装置において、前記送風路を前記居住空間から前記床基盤を俯瞰したときの対角両側隅に、前記温調空気を前記送風路へ導入するための吹出し機構をそれぞれ有し、該吹出し機構の吹出しノズルは前記送風路内部に設けられていることを特徴とする輻射式空調装置。
【請求項８】
請求項７に記載の輻射式空調装置において、前記温調空気を冷却又は加熱するエアコン吹出し口から前記床上までの、前記熱媒空気送風経路を形成する導入管と、前記吹出し機構と、を有し、前記吹出し機構は、前記導入管と接続され、前記温調空気の経路の向きを変える空間が設けられたチャンバーと、該チャンバー下部に接続され、前記床下を貫通し、前記送風路内に設けられた前記吹出しノズルと、を有し、前記吹出しノズルの開口の幅は、開口高さよりも広く形成されていることを特徴とする輻射式空調装置。
【発明の詳細な説明】
【技術分野】
【０００１】
本発明は輻射式空調装置に関する。
【背景技術】
【０００２】
エアコンによって温度調整された空気（以下、「温調空気」ともいう。）を床下に設けた送風路に送り、床から冷暖房する冷暖房装置が知られている。例えば、特許文献１に開示されている空気循環式冷暖房システムは、床基盤（１５）上に配置した支持脚部材（１６）で灼熱板（１７）支えて、該灼熱板（１７）と前記床基盤（１５）の間に送風路（同文献では空気流通層１２）を形成している。そして、同文献の図２に示すように、前記送風路の上面である、灼熱板（１７）の下面には吸熱突起（１９）が設けられている。
【先行技術文献】
【特許文献】
【０００３】
【特許文献１】特開２０１０−１３９１２４号公報
【発明の概要】
【発明が解決しようとする課題】
【０００４】
特許文献１に示される構成では、送風路を通る温調空気の大部分は吸熱突起（１９）の下を素通りし、灼熱板（１７）との熱交換が十分に行えないという課題があった。そこで、本発明の目的、すなわち解決しようとする技術的課題は、送風路を通過する温調空気と、床を構成する輻射パネルの間で効率よく熱交換ができる輻射式空調装置を提供することにある。
【課題を解決するための手段】
【０００５】
そこで、請求項１に開示する構成を、居住空間の床板を支える床基盤上に設けられて、該床基盤との間に送風路を構成する輻射パネルと、勾配のある風向規制面が上部に設けられている風向規制部と、を有し、該風向規制部は、温度調整されてから前記送風路に導入された空気、すなわち、温調空気を前記輻射パネルに向けて吹きつけるように、前記床基盤上に配置されていることを特徴とする輻射式空調装置としたことにより、上記課題を解決した。
【０００６】
また、請求項２に開示する構成を、請求項１に記載の輻射式空調装置において、空間上のねじれの位置関係にあるに２直線間に張られた曲面を含む前記風向規制面が設けられた前記風向規制部を有することを特徴とする輻射式空調装置としたことにより、上記課題を解決した。請求項３に開示する構成を、請求項１または請求項２に記載の輻射式空調装置において、前記輻射パネルは前記居住空間の床板若しくは該床板の一部を構成し、前記送風路に導入された温調空気を、前記居住空間へ放出するための放出口が、前記床板に設けられていることを特徴とする輻射式空調装置としたことにより、上記課題を解決した。
【０００７】
請求項４に開示する構成を、請求項３に記載の輻射式空調装置において、前記放出口が、前記居住空間の周辺部に当たる前記床板に設けられていることを特徴とする輻射式空調装置としたことにより、上記課題を解決した。請求項５に開示する構成を、請求項３または請求項４に記載の輻射式空調装置において、前記放出口としての複数の孔が前記輻射パネルに設けられていることを特徴とする輻射式空調装置としたことにより、上記課題を解決した。
【０００８】
請求項６に開示する構成を、請求項１、請求項２、請求項３、請求項４または請求項５のいずれか１項に記載の輻射式空調装置において、四辺に切欠きのある金属製の矩形パネルセルを並べて、該矩形パネルセル４つが接する場所において、前記床基盤上に配置された支柱で該矩形パネルセル４つが支えられている前記輻射パネルを有することを特徴とする輻射式空調装置としたことにより、上記課題を解決した。
【０００９】
請求項７に開示する構成を、請求項１、請求項２、請求項３、請求項４、請求項５または請求項６のいずれか１項に記載の輻射式空調装置において、前記送風路を前記居住空間から前記床基盤を俯瞰したときの対角両側隅に、前記温調空気を前記送風路へ導入するための吹出し機構をそれぞれ有し、該吹出し機構の吹出しノズルは前記送風路内部に設けられていることを特徴とする輻射式空調装置としたことにより、上記課題を解決した。
【００１０】
請求項８に開示する構成を、請求項７に記載の輻射式空調装置において、前記温調空気を冷却又は加熱するエアコン吹出し口から前記床上までの、前記熱媒空気送風経路を形成する導入管と、前記吹出し機構と、を有し、前記吹出し機構は、前記導入管と接続され、前記温調空気の経路の向きを変える空間が設けられたチャンバーと、該チャンバー下部に接続され、前記床下を貫通し、前記送風路内に設けられた前記吹出しノズルと、を有し、前記吹出しノズルの開口の幅は、開口高さよりも広く形成されていることを特徴とする輻射式空調装置としたことにより、上記課題を解決した。
【発明の効果】
【００１１】
請求項１に係る構成には、送風路を通過する温調空気と、床を構成する輻射パネルの間で効率よく熱交換ができるという効果がある。請求項２に係る構成には、送風路に導入された温調空気が、該送風路全体に亘って満遍なく送られる効果を有する。請求項３に係る構成には、温調空気が居住空間へ放出されることによって、居住空間に静かな空気の揺らぎを生じさせ、居住空間の人に心地よい冷暖房を提供できる効果がある。
【００１２】
請求項４に係る構成には、床板周辺部から温調空気が居住空間内に放出されるので、放出される空気が直接人にあたらないという効果がある。特に、窓側に放出口が設けられていると、冬場の暖房時に、ガラス戸を通して放出される熱を補うように窓付近の暖房を強化することができる。
【００１３】
更に、窓側に放出口が設けられていると、夏場の冷房時に、ガラス戸を通して遠赤外線として進入する放射熱による暑さを補うように窓付近の冷房を強化することができる。請求項５に係る構成には、居住空間内で均等に、温調空気の放出をすることができるという効果がある。
【００１４】
請求項６に係る構成には、居住空間の床面積に応じた広さの輻射パネルを構成できる効果がある。請求項７に係る構成には、温調空気の吹き出し口を対角に複数個所設けると、温調空気を効果的に送風路Ｄ全体に亘らせることができるという効果がある。請求項８に係る構成には、温調空気を広範囲に送付するのに有利であるという効果がある。
【図面の簡単な説明】
【００１５】
【図１】は本発明の第１実施形態に係る輻射式空調装置の例であって、（Ａ）は同輻射式空調装置を備えた居住空間の概略図、（Ｂ）はα領域拡大図、（Ｃ）は風向規制部の一例の斜視図、（Ｄ）は風向規制部の、他の例の斜視図である。
【図２】は本発明の第１実施形態に係る輻射式空調装置の例であって、（Ａ）は風向規制部の斜視図、（Ｂ）は風向規制部を俯瞰した図であって、風向規制面に等高線と、高さの最も低い辺（「斜面底部縁」ともいう。）を破線で示した図、（Ｃ）は同輻射式空調装置を備えた居住空間の床板直下の送風路を俯瞰した図であって、導入管は一部断面図として表されている図である。
【図３】は本発明の第２実施形態に係る輻射式空調装置の例であって、（Ａ）は第１の風向規制部の斜視図、（Ｂ）は同風向規制部の正面図及び左側面図、（Ｃ）は同風向規制部の平面図及び左側面図を時計廻りに９０度回転させた図、（Ｄ）は同風向規制部の俯瞰図であって等高線及び斜面底部縁を破線で示した図、（Ｅ）は同風向規制部の俯瞰図において、斜面底部縁から吹き込む風向変化を示す図、（Ｆ）は同風向規制部に鏡映対象である第２の風向規制部の俯瞰図において、斜面底部縁の側方から吹き込む風向変化を示す図、（Ｇ）は第１の風向規制部を記号化した図、（Ｈ）は第２の風向規制部を記号化した図、（Ｊ）は同輻射式空調装置を備えた居住空間の床板直下の送風路を俯瞰した図であって、導入管は一部断面図として表されている図、（Ｋ）は第２実施形態に係る輻射式空調装置における他の風向規制部端部箇所の斜視図である。
【図４】は本発明の第３実施形態に係る輻射式空調装置の例であって、（Ａ）は同輻射式空調装置の輻射パネル１Ｂを構成するパネルセルの平面図、（Ｂ）は（Ａ）のＸ１−Ｘ１矢視端面図、（Ｃ）は（Ａ）のＸ２−Ｘ２矢視端面図、（Ｄ）は（Ａ）のＸ３−Ｘ３矢視図、（Ｅ）は複数の前記パネルセルで輻射パネルを施工する様子を示す図、（Ｆ）は同パネルセルに放出孔を設けた例を示す図である。
【図５】は本発明の第４実施形態に係る輻射式空調装置の例であって、（Ａ）は導入管と、チャンバー及び平ノズルの斜視図、（Ｂ）は、一部断面図を含む同導入管と、同チャンバー及び同平ノズルの平面図、（Ｃ）は同輻射式空調装置を備えた居住空間の床板直下の送風路を俯瞰した図である。
【発明を実施するための形態】
【００１６】
［第１実施形態］
図１に基づいて、本発明の第１実施形態に係る輻射式空調装置を説明する。図１（Ａ）は同輻射式空調装置を備えた居住空間Ａの概略図である。例えばコンクリートで構成された床基盤Ｂの上に断熱シートＢ１が敷かれている。断熱シートＢ１は例えば、４ｍｍから８ｍｍ程度の厚みを有するアルミ断熱シートが適している。図示はしていないが、断熱シートＢ１上に適宜配置された支柱Ｃ〔図４（Ｅ）参照〕は、金属製の輻射パネル１を支えている。輻射パネル１の上面には、カーペット１１が敷かれていてもよい。この図の例では、居住空間Ａの床板の大部分は輻射パネル１で構成されている。
【００１７】
居住空間Ａの床板は、全てが輻射パネル１で構成されていてもよいし、床板の一部が輻射パネル１で構成されていてもよい。後記するように、床面積の６０％〜７０％に当たる領域の床下に限って、断熱性のある仕切り壁で仕切って、その空間を後記する送風路Ｄとし、その直上領域に限って輻射パネル１を設けても良い。このようにして、輻射式空調装置の面積規模を限ることにより、適用する居住空間に適したエネルギー効率のよい空調設備となり、省エネ効果も発揮する。
【００１８】
〈温調空気〉
支柱Ｃが輻射パネル１を支えることにより、該輻射パネル１と床基盤Ｂの間には送風路Ｄが形成されている。送風路Ｄには導入管２を通じて、温度調整された空気（以後、「温調空気」ともいう。）が送り込まれる。例えば、温調空気２１１は図示していないエアコン２１によって、居住空間Ａの空気を冷却したり加熱したりしてもよい。
【００１９】
送風路Ｄに送り込まれた温調空気アは輻射パネル１と温度交換をしながら、放出開口１３から放出空気２１２として居住空間Ａに放出される。放出開口前には仕切り板として、開口前仕切り壁１２を設けてもよい。この場合、開口前仕切り壁１２には仕切孔１２１という貫通孔が設けられ、ここを放出空気２１２が通り抜けて居住空間Ａに放出される〔図１（Ａ）左下〕。
【００２０】
〈風向規制部〉
床基盤Ｂ上には複数の風向規制部３が設置されている。風向規制部３は上部に風向規制面３１が設けられている〔図１（Ｂ）〕。風向規制面３１は傾斜のある面である。この風向規制面３１を、温調空気２１１に対して、風上から風下の方向に上り傾斜となるように、風向規制部３を配置すると、この面の作用で温調空気２１１は上方へ吹き上げられる。
【００２１】
上方には輻射パネル１が存在するので、上方へ吹き上げられた温調空気２１１は輻射パネル１との間で効率的に熱交換をする。すなわち、温調空気２１１が冷却されている場合には、輻射パネル１が冷やされると共に、該温調空気２１１は暖められる。また、温調空気２１１が加熱されている場合には、輻射パネル１が暖められると共に、該温調空気２１１は冷やされる。
【００２２】
風向規制部３は断熱性の良い部材、例えば難燃性合成樹脂で形成されている。図１（Ｃ）はその斜視図である。勾配のある風向規制面３１が設けられている。風向規制面の辺の内、最も低い辺を「斜面底部縁」とも称することとする。図１（Ｄ）は他の例としての風向規制部３Ａの斜視図である。これも勾配のある風向規制部３１Ａが設けられており、断熱性の良い、例えば塩化ビニールで形成することができる。
【００２３】
〈風向規制部の配置〉
次に図２に基づいて、風向規制部３の配置を説明する。図２（Ａ）は風向規制部３の斜視図、（Ｂ）は風向規制部３の風向規制面３１を俯瞰した図である。斜面である風向規制面３１の傾斜の向きが分かるように等高線を示してある。更に、風向規制面３１の縁の内の高い縁である斜面高部縁３１１を実線で表し、風向規制面３１の縁の内の低い縁である斜面底部縁３１２を破線で表している。
【００２４】
図２（Ｃ）は第１実施形態に係る輻射式空調装置を備えた居住空間Ａの床板直下の送風路Ｄを俯瞰した図である。導入管２は一部断面図として表されている。エアコン２１は居住空間Ａの空気を吸込み口２２から吸込んで、これを冷却又は加熱し、温調空気として導入管２へ送る。ここで、エアコン２１と吸込み口２２は象徴的に図示したものであり、現実の配置を表したものではない。実際には、エアコン２１は一般的に居住空間Ａの天井裏に配置され、吸込み口２２も該天井の一部に設けられる。
【００２５】
送風路Ｄは、好ましくは断熱性のある断熱壁Ｄ１で囲まれている。すなわち、ここでの送風路Ｄの例は、床基盤Ｂと断熱壁Ｄ１及び輻射パネル１で構成された閉空間である。又は、断熱性ある周囲仕切り壁１２Ｂと開口前仕切り壁１２で送風路Ｄを囲んでも良い。このようにすると断熱壁Ｄ１は必ず必要なものではなくなる。
【００２６】
例えば、床面積の６０％〜７０％に当たる領域の床下に限って、周囲仕切り壁１２Ｂで仕切って、その空間を送風路Ｄとし、その直上領域に限って輻射パネル１を設けても良い。このようにして、輻射式空調装置の面積規模を限ることにより、適用する居住空間に適したエネルギー効率のよい空調設備となり、省エネ効果も発揮する。
【００２７】
導入管２を介してこの送風路Ｄへ送り込まれた温調空気は、輻射パネル１（図示せず）との間で熱交換した後に、開口前仕切り壁１２の仕切孔１２１を通り抜けて放出開口１３から放出される。この画角では見えないが、右側破線の矩形で示した領域の上方、すなわち、輻射パネル１内に、放出開口１３が設けられている。
【００２８】
あるいは、輻射パネル１に連なる床上に、放出開口１３が設けられていてもよい。また、この例の場合、放出開口１３は居住空間Ａの窓Ｗの傍に設けられている。図２（Ｃ）の左側には破線で示された箇所に記号Ｗが付されている。これはこの直上に、居住空間Ａに設けられた窓Ｗが存在していることを示している。
【００２９】
窓側に放出口が設けられていると、冬場の暖房時に、ガラス戸を通して放出される熱を補うように窓付近の暖房を強化することができる。更に、窓側に放出口が設けられていると、夏場の冷房時に、ガラス戸を通して遠赤外線として進入する放射熱による暑さを補うように窓付近の冷房を強化することができる。
【００３０】
説明の便宜上、図２（Ｃ）に示した送風空間の、導入管２の側から、放出開口１３の側までの方向を送風方向と称し、床基盤Ｂ上であって、前記送風方向に直交する方向を幅方向と称することとする。導入管２は送風路Ｄの一端において幅方向に延びている。そして、導入管２にはノズル２３が幅方向に幾つか設けられている。
【００３１】
このように、幅方向全体に亘って設けられているノズル２３から温調空気２１１が導入されるために、送風路Ｄ内には満遍なく温調空気２１１が行き渡る。更に、床基盤Ｂ上には、風向規制部３が幾つか設置されている。風向規制部３の風向規制面３１は温調空気２１１の風上側から風下側にかけて上がり勾配になるように設置されている。これは、図２（Ｃ）において、風向規制面３１の縁の内の低い縁である斜面底部縁３１２が導入管２の側に向けて設置されていることからも分かる。
【００３２】
以上説明したように、床基盤Ｂに設置された風向規制部３の風向規制面３１が、風上から風下に向かって上り勾配となっている。このため、風向規制部３の上部を通り過ぎる温調空気２１１が上側、すなわち、輻射パネル側に吹きつけられる。これにより、温調空気２１１と輻射パネル１の間で効率的な熱交換が行われるという効果がある。
【００３３】
〈暖房時〉
暖房の場合は、温調空気２１１は加熱されている。加熱された温調空気は送風路Ｄを通る際に、風向規制部３の作用で効率的に輻射パネル１と熱交換をする。その結果、輻射パネル１は暖められて遠赤外線を居住空間Ａに向けて放射し、居住空間Ａを暖房する。また、熱交換によって適度に冷まされた温調空気２１１は放出開口１３から居住空間へ放出されて、居住空間Ａに居る人にとって心地よい空気の揺らぎを作り出す。
【００３４】
〈冷房時〉
冷房の場合は、温調空気２１１は冷却されている。冷却された温調空気は送風路Ｄを通る際に、風向規制部３の作用で効率的に輻射パネル１と熱交換をする。その結果、輻射パネル１は冷やされるため、居住空間Ａから受けた遠赤外線の反射を防止することができる。これにより居住空間Ａに居る人は床から遠赤外線を受けることなく涼しさを感じることができる。また、熱交換によって適度に暖められた温調空気２１１は、放出開口１３から居住空間へ放出されて、居住空間Ａに居る人にとって心地よい空気の揺らぎを作り出す。
【００３５】
［第２実施形態］
次に本発明の第２実施形態に係る輻射式空調装置を図３に基づいて説明する。図３（Ａ）は同輻射式空調装置に係る風向規制部３Ｂの斜視図である。風向規制部３Ｂには風向規制面３１Ｂが設けられている。これは両端がねじれの位置にある曲面である。これは、空間上ある２本のねじれの位置関係にある直線間に張られた曲面であって、前記２直線を含む滑らかな曲面である。
【００３６】
風向規制面３１Ｂの４隅は３１Ｂａ、３１Ｂｂ、３１Ｂｃ及び３１Ｂｄである。３１Ｂａと３１Ｂｂによる辺よりも、３１Ｂｄと３１Ｂｃによる辺のほうが急な上り勾配となっている。風向規制面３１Ｂを形成する辺３１１Ｂと辺３１２Ｂもねじれの位置にある。説明の便宜上、辺３１１Ｂを斜面高部縁３１１Ｂと称し、辺３１２Ｂを斜面底部縁３１２Ｂと称することもある。
【００３７】
図３（Ｂ）は、風向規制面３１Ｂを臨む風向規制部３Ｂの正面図と左側面図である。図３（Ｃ）は、風向規制部３Ｂを俯瞰した平面図と左側面図である。この左側面図は時計廻りに９０度回転してある。この平面図の下半分以上は風向規制面３１Ｂが表されている。図３（Ｄ）は、（Ｃ）と同様に風向規制部３Ｂの平面拡大図である。風向規制面３１Ｂの形状が分かるように、便宜的に等高線を記入している。この等高線が左側で広く右側で狭くなっていることから、風向規制部３Ｂはねじれ関係にある曲面であることが分かる。また、便宜上、高い位置にある辺３１１Ｂを実線で、低い位置にある辺３１２Ｂを破線で表している。
【００３８】
風向規制部３Ｂは、曲面からなる上り傾斜面である風向規制面３１Ｂを備えているため、吹きつけられた温調空気を上方へはね上げるだけでなく、該温調空気の向きも効率的に変えることができる。図３（Ｅ）は、風向規制部３Ｂに吹きつけられた温調空気がいずれの方向に向きを変えるのかについて表した図である。図３（Ｅ）は最も低い辺３１２Ｂの向きから温調空気が吹きつけた場合の向きの変化を表している。吹きつけられた温調空気は傾斜の緩い３１Ｂａ−３１Ｂｂ側へ向きを変える。
【００３９】
また、図３（Ｆ）には、風向規制部３Ｂと鏡映対象である風向規制部３Ｃが示されている。風向規制部３Ｃは風向規制面３１Ｃを有し、これを構成する四辺のうち、低位にある斜面底部縁３１２Ｃを破線で、高位にある斜面高部縁３１１Ｃを実線で表している。風向規制部３Ｃについても、最も低い辺３１２Ｃの向きから吹きつけられた温調空気は傾斜の緩い３１Ｃａ−３１Ｃｂ側へ向きを変える。
【００４０】
図３（Ｇ）は風向規制部３Ｂの平面図を簡略化し、記号化して表した図である。風向規制面３１Ｂを構成する四辺のうち、低位にある斜面底部縁３１２Ｂを破線で、高位にある斜面高部縁３１１Ｂを実線で表している。図３（Ｈ）は風向規制部３Ｃの平面図を簡略化し、記号化して表した図である。風向規制面３１Ｃを構成する四辺のうち、低位にある斜面底部縁３１２Ｃを破線で、高位にある斜面高部縁３１１Ｃを実線で表している。
【００４１】
〈風向規制部の配置〉
次に、図３（Ｊ）に基づいて、本発明の第２実施形態に係る輻射式空調装置における、風向規制部３Ｂと３Ｃの配置例について説明する。図３（Ｊ）は、同輻射式空調装置を備えた居住空間Ａの床板直下の送風路を俯瞰した図である。導入管２Ｂは一部断面図として表されている。
【００４２】
エアコン２１は居住空間Ａの空気を吸込み口２２から吸込んで、これを冷却又は加熱し、温調空気として導入管２へ送る。ここで、エアコン２１と吸込み口２２は象徴的に図示したものであり、現実の配置を表したものではない。実際には、エアコン２１は一般的に居住空間Ａの天井裏に配置され、吸込み口２２も該天井の一部に設けられる。
【００４３】
送風路Ｄは、好ましくは断熱性のある断熱壁Ｄ１で囲まれている。すなわち、ここでの送風路Ｄの例は、床基盤Ｂと断熱壁Ｄ１及び輻射パネル１で構成された閉空間である。又は、断熱性ある周囲仕切り壁１２Ｂと開口前仕切り壁１２で送風路Ｄを囲んでも良い。このようにすると断熱壁Ｄ１は必ず必要なものではなくなる。
【００４４】
例えば、床面積の６０％〜７０％に当たる領域の床下に限って、周囲仕切り壁１２Ｂで仕切って、その空間を送風路Ｄとし、その直上領域に限って輻射パネル１を設けても良い。このようにして、輻射式空調装置の面積規模を限ることにより、適用する居住空間に適したエネルギー効率のよい空調設備となり、省エネ効果も発揮する。
【００４５】
導入管２を介してこの送風路Ｄへ送り込まれた温調空気は、輻射パネル１（図示せず）との間で熱交換した後に、開口前仕切り壁１２の仕切孔１２１を通り抜けて放出開口１３から放出される。この画角では見えないが、右側破線の矩形で示した領域の上方、すなわち、輻射パネル１内に、放出開口１３が設けられている。
【００４６】
あるいは、輻射パネル１に連なる床上に、放出開口１３が設けられていてもよい。また、この例の場合、放出開口１３は居住空間Ａの窓Ｗの傍に設けられている。図２（Ｃ）の左側には破線で示された箇所に記号Ｗが付されている。これはこの直上に、居住空間Ａに設けられた窓Ｗが存在していることを示している。
【００４７】
窓側に放出口が設けられていると、冬場の暖房時に、ガラス戸と通して放出される熱を補うように窓付近の暖房を強化することができる。更に、窓側に放出口が設けられていると、夏場の冷房時に、ガラス戸と通して遠赤外線として進入する放射熱による暑さを補うように窓付近の冷房を強化することができる。
【００４８】
説明の便宜上、図３（Ｊ）に示した送風空間の、導入管２Ｂの側から、放出開口１３の側までの方向を送風方向と称する。また、床基盤Ｂ上であって、前記送風方向に直交する方向を幅方向と称することとする。導入管２Ｂは送風路Ｄの一端において幅方向に適宜延びている。そして、導入管２Ｂにはノズル２３が幅方向に幾つか設けられている。
【００４９】
床基盤Ｂ上には、風向規制部３Ｂと３Ｃが設置されている。図示しないが、床基盤Ｂ上に断熱シートＢ１を敷いて、その上に風向規制部３Ｂと３Ｃを設置してもよい。風向規制部３Ｂ及び３Ｃの風向規制面３１Ｂ及び３１Ｃは温調空気２１１の風上側から風下側にかけて上がり勾配になるように設置されている。上述の通り、風向規制部３Ｂの斜面底部縁３１２Ｂは破線で表されている。
【００５０】
また、風向規制部３Ｃの斜面底部縁３１２Ｃも破線で表されている。図３（Ｊ）に示されているように、破線で表される斜面底部縁３１２Ｂ及び３１２Ｃは概ね導入管２Ｂの側を向いている。このような配置でノズル２３から導入される温調空気は、このような配置の風向規制部３Ｂ及び３Ｃにより風向を変えつつ吹き上げられる。その結果、上方に位置する輻射パネル１に温調空気が吹きつけられることとなる。
【００５１】
図３（Ｋ）は、本発明の第２実施形態に係る輻射式空調装置における、他の風向規制部３Ｂ２の端部斜視図である。風向規制部３Ｂ２も、空間上のねじれの位置にある２直線に張られた曲面、すなわち、前記２直線を含む滑らかな曲面である。ここで、風向規制部３Ｂでは、これらねじれの位置関係にある２線分が、同風向規制部３Ｂの両側面であるの台形の角を形成していた。しかし、風向規制部３Ｂ２では、側面の一方が台形で、もう一方が三角形になっている。風向規制部３Ｂ２でも、風向規制部３Ｂ同様に、温調空気の向きを変えることができる。
【００５２】
以上説明したように、床基盤Ｂに設置された風向規制部３Ｂ及び３Ｃによって、温調空気の風向を変えつつ輻射パネル１に吹きつける効果がある。風向が変わるため、温調空気を導入するノズル２３が送風路Ｄの風上側全体に配置されていなくても、送風路Ｄの全体に温調空気が巡回する効果がある。
【００５３】
［第３実施形態］
次に、図４に基づいて本発明の第３実施形態に係る輻射式空調装置の説明をする。図４（Ａ）は本発明の第３実施形態に係る輻射式空調装置の輻射パネル１Ｂを構成するパネルセル４の平面図である。同図（Ｄ）はパネルセル４のＸ３−Ｘ３矢視図、（Ｃ）はＸ２−Ｘ２矢視端面図、（Ｂ）はＸ１−Ｘ１矢視端面図である。パネルセル４は金属、例えば、アルミニウムで形成された輻射パネルの単位である。
【００５４】
その周囲は一方向へ略直角に折り返られ、折り返された側にはリブが形成されている。そして、４辺には矩形の切欠き４１が設けられている。この切欠き４１はフリーアドレスのためのアウトレットとして用いることができる。更に、４隅には９０度分の円弧形状の切欠きが設けられている。これは、該４隅を支柱Ｃで支える際のガタツキ防止に効果がある。
【００５５】
図４（Ｅ）は、複数のパネルセル４を使って輻射パネル１Ｂを施工する様子を示している。まず、床基盤Ｂ上に支柱Ｃと風向規制板３Ｂを並べる。４つのパネルセル４の隅を合わせると４つの隅切欠き４２が円形開口を構成するので、ここに支柱ＣのヘッドＣ１をはめ込んで、パネルセル４を安定させる。このようにすると、床基盤Ｂとパネルセル４の間に送風路Ｄが形成される（同図には図示せず。）。
【００５６】
図４（Ｅ）に示すように、パネルセル４を並べて、輻射パネル１Ｂを形成すると、所々に辺切欠き４１による開口が開いた状態になる。この開口は、送風路Ｄをケーブル類引き回し空間として利用する際に、ケーブルの居住空間Ａへの引出口に利用してもよいが、それ以外は、パネル蓋４１ａで塞いでもよい。このように、パネルセル４を使って輻射パネル１Ｂを施工すると、居住空間の床面積や床形状に合わせて、輻射パネルを構成することができる。このとき、温調空気を居住空間Ａの放出する、放出開口１３は床板のいずれかに設けられる。
【００５７】
また、輻射パネル１Ｂの上に通気性の良いカーペットを敷く場合には、パネルセル４に代えて、輻射面にパネル放出孔４３が設けられたパネルセル４Ｂを用い、輻射パネル面から送風路Ｄ内の温調空気を居住空間Ａ内に徐々に放出してもよい（図４（Ｆ））。このようにすると、居住空間Ａ内で均等に、温調空気の放出をすることができる。更に、輻射パネル上に敷くカーペットは、カーボンが織り込まれているカーボンクロスカーペットか通気カーペットを用いると、居住空間への輻射効率を上げる効果がある。
【００５８】
［第４実施形態］
次に図５に基づいて、本発明の第４実施形態に係る輻射式空調装置を説明する。図５（Ａ）は同輻射式空調装置において、居住空間の床板直下に設けられた送風路Ｄに温調空気を導入するための導入管２Ｃと、チャンバー２Ｃ１及び平ノズル２Ｃ２の斜視図、（Ｂ）は一部断面図を含む平面図である。平ノズル２Ｃ２は温調空気を送風路Ｄに送り出すための吹出し口である。この平ノズル２Ｃ２は送風路Ｄの大きさに合わせて、偏平な吹出し口形状をしていて、その高さよりも幅広に形成されている。幅広の吹出し形状を持つ平ノズル２Ｃ２は、温調空気を広範囲に送付するのに有利である。
【００５９】
図示しないエアコンで調整された温調空気は導入管２Ｃを介して、まず、チャンバー２Ｃ１に送り込まれる。チャンバー２Ｃ１は、図示されていない居住空間Ａの床板上に設置されている。チャンバー２Ｃ１の底部は平ノズル２Ｃ２と接続している。平ノズル２Ｃ２は、前記床板の下方にある前記送風路Ｄの中に設けられている。しかし、前記床板には適宜貫通孔が開けられていて、前記送風路Ｄ内の平ノズル２Ｃ２とチャンバー２Ｃ１の底部が接続されている。
【００６０】
これら、導入管２Ｃと、チャンバー２Ｃ１及び平ノズル２Ｃ２が吹出し機構を構成しているともいうことができる。導入管２Ｃを介してエアコンから送られた温調空気は、チャンバー２Ｃ１に設けられた空間で風向を徐々に変えて平ノズル２Ｃ２から、前記送風路Ｄへ吹出される。
【００６１】
図５（Ｃ）は、同輻射式空調装置を備えた、居住空間の床板直下の送風路を俯瞰した図である。上述の平ノズル２Ｃ２の２つが、送風路Ｄの対角状に隅に設置されている。平ノズル２Ｃ２から吹出された温調空気は、送風路Ｄ内に適宜設けられた風向規制部３Ｂによって方向を変え、図示してないが上方に存在する輻射パネル１に吹付けられる。このように、温調空気の吹き出し口を対角に複数個所設けると、温調空気を効果的に送風路Ｄ全体に亘らせることができる。
【００６２】
送風路Ｄは、好ましくは断熱性のある断熱壁Ｄ１で囲まれている。すなわち、ここでの送風路Ｄの例は、床基盤Ｂと断熱壁Ｄ１及び輻射パネル１で構成された閉空間である。又は、断熱性ある周囲仕切り壁１２Ｃで送風路Ｄを囲んでも良い。このようにすると断熱壁Ｄ１は必ず必要なものではなくなる。例えば、床面積の６０％〜７０％に当たる領域の床下に限って、周囲仕切り壁１２Ｃで仕切って、その空間を送風路Ｄとし、その直上領域に限って輻射パネル１を設けても良い。
【００６３】
このようにして、輻射式空調装置の面積規模を限ることにより、適用する居住空間に適したエネルギー効率のよい空調設備となり、省エネ効果も発揮する。このように、周囲仕切り壁１２Ｃで送風路を囲む場合は周囲仕切り壁１２Ｃには仕切孔１２１Ｃという貫通孔が適宜設けられている。仕切孔１２１Ｃからは、輻射パネル１と熱交換を終えた温調空気が周囲仕切り壁１２Ｃの外へ放出される。図示していないが、周囲仕切り壁１２Ｃ外の領域の床板には適宜、居住空間への放出開口１３が設けられている。
【００６４】
Ａ…居住空間、Ｂ…床基盤、Ｂ１…断熱シート、Ｃ…支柱、Ｃ１…ヘッド、
Ｄ…送風路、Ｄ１…断熱壁、Ｗ…窓、１，１Ｂ…輻射パネル、１１…カーペット、
１２…開口前仕切り壁、１２Ｂ，１２Ｃ…周囲仕切り壁、１２１，１２１Ｃ…仕切孔、
１３…放出開口、２，２Ｂ，２Ｃ…導入管、２Ｃ１…チャンバー、２Ｃ２…平ノズル、
２１…エアコン、２１１…温調空気、２１２…放出空気、２３…ノズル、
３，３Ａ，３Ｂ，３Ｃ…風向規制部、３１，３１Ａ，３１Ｂ，３１Ｃ…風向規制面、
３１１，３１１Ｂ，３１１Ｃ…斜面高部縁、３１２，３１２Ｂ，３１２Ｃ…斜面底部縁、
４，４Ｂ…パネルセル、４１…辺切欠き、４１ａ…パネル蓋、４２…隅切欠き、
４３…パネル放出孔。
【図１】
2018096585.tif 000003
【図２】
2018096585.tif 000004
【図３】
2018096585.tif 000005
【図４】
2018096585.tif 000006
【図５】
2018096585.tif 000007